【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】
Ｘ線管から放射されたＸ線を検出して透視画像を撮影する第１の撮影手段と、
前記Ｘ線管から放射されたＸ線を検出してＸ線画像を撮影する第２の撮影手段と、
前記第１の撮影手段と前記第２の撮影手段を切り換える切り換え手段と、
前記透視画像と前記Ｘ線画像の相対位置を決定する相対位置決定手段と、
前記透視画像と前記Ｘ線画像を、前記相対位置決定手段により決定された相対位置となるように重ねて表示する表示手段と
を有することを特徴とする撮影システム。
【請求項２】  
前記透視画像と前記Ｘ線画像の少なくともいずれか一方の画像のサイズ及び画素値を、当該透視画像及びＸ線画像の対応画像領域のサイズ、画素値のレベル、コントラストの内の少なくともいずれかが略一致するように調整する調整手段を更に有し、
前記表示手段は、前記調整手段により調整された透視画像及びＸ線画像を表示することを特徴とする請求項１に記載の撮影システム。
【請求項３】  
前記第２の撮影手段の位置を移動する駆動手段を更に有し、
前記第２の撮影手段は前記Ｘ線管の照射領域外の所定位置を基準位置とし、前記切り換え手段により前記第２の撮影手段が選択された場合に、前記駆動手段は、前記Ｘ線管の照射領域内に前記第２の撮影手段を移動することを特徴とする請求項１または２に記載の撮影システム。
【請求項４】  
前記第１の撮影手段及び前記第２の撮影手段は同一のセンサーにより構成され、Ｘ線画像を撮影する場合と、透視画像を撮影する場合とで、前記センサーの読み出し領域が異なるように制御することを特徴とする請求項１または２に記載の撮影システム。
【請求項５】  
前記表示手段は、少なくともＸ線画像全体を表示可能な表示領域を有することを特徴とする請求項１乃至４のいずれか１項に記載の撮影システム。
【請求項６】  
前記相対位置決定手段は、前記Ｘ線管と、前記第２の撮影手段と、前記第１の撮影手段との相対位置に基づいて、前記透視画像と前記Ｘ線画像の相対位置を決定することを特徴とする請求項１乃至５のいずれか１項に記載の撮影システム。
【請求項７】  
前記Ｘ線管を移動する手段と、
前記第１の撮影手段を移動する手段と
を更に有することを特徴とする請求項１乃至６のいずれか１項に記載の撮影システム。
【請求項８】  
前記Ｘ線管及び前記第１の撮影手段は機械的に一体化されており、一括して位置を移動させる手段を更に有することを特徴とする請求項１乃至６のいずれか１項に記載の撮影システム。
【請求項９】  
被写体を支持する支持手段と、
前記支持手段を移動させる手段を更に有することを特徴とする請求項１乃至６のいずれか１項に記載の撮影システム。
【請求項１０】  
前記表示手段は、前記透視画像の下に前記Ｘ線画像が見えるように表示することを特徴とする請求項１乃至９のいずれか１項に記載の撮影システム。
【請求項１１】  
Ｘ線画像は、透視画像よりも撮像範囲が広いことを特徴とする請求項１乃至１０のいずれか１項に記載の撮影システム。
【請求項１２】  
Ｘ線管から放射されたＸ線を検出して透視画像を撮影する第１の撮影手段と、前記Ｘ線管から放射されたＸ線を検出してＸ線画像を撮影する第２の撮影手段とを有する撮影システムにおける撮影表示方法であって、
前記第１の撮影手段が透視画像を撮影する第１の撮影工程と、
前記第２の撮影手段がＸ線画像を撮影する第２の撮影工程と、
相対位置決定手段が前記透視画像と前記Ｘ線画像の相対位置を決定する相対位置決定工程と、
表示手段が前記透視画像と前記Ｘ線画像を、前記相対位置決定手段により決定された相対位置となるように重ねて表示する表示工程と
を有することを特徴とする撮影表示方法。
【請求項１３】  
前記第１の撮影工程と、前記第２の撮影工程と、前記相対位置決定工程と、前記表示工程とを繰り返す反復工程を更に有することを特徴とする請求項１２に記載の撮影表示方法。
【請求項１４】  
前記第１の撮影手段と前記第２の撮影手段を切り換える切り換え工程を更に有し、
前記反復工程では、前記切り換え工程により選択されていない前記第１の撮影手段又は前記第２の撮影手段による前記第１の撮影工程又は前記第２の撮影工程をスキップすることを特徴とする請求項１３に記載の撮影表示方法。
【請求項１５】  
前記第２の撮影工程後に前記第１の撮影工程を行った場合に、前記相対位置決定工程では、Ｘ線画像に対する透視画像の相対位置を決定することを特徴とする請求項１２乃至１４のいずれか１項に記載の撮影表示方法。
【請求項１６】  
前記第１の撮影工程後に前記第２の撮影工程を行った場合に、前記相対位置決定工程では、透視画像に対するＸ線画像の相対位置を決定することを特徴とする請求項１２乃至１５のいずれか１項に記載の撮影表示方法。
【請求項１７】  
調整手段が前記透視画像と前記Ｘ線画像の少なくともいずれか一方の画像のサイズ及び画素値を、当該透視画像及びＸ線画像の対応画像領域のサイズ、画素値のレベル、コントラストの内の少なくともいずれかが略一致するように調整する調整工程を更に有し、
前記表示工程では、前記調整工程で調整された透視画像及びＸ線画像を表示することを特徴とする請求項１２乃至１６のいずれか１項に記載の撮影表示方法。
【請求項１８】  
前記第２の撮影手段は前記Ｘ線管の照射領域外の所定位置を基準位置とし、前記第２の撮影工程は、
第１の移動手段が前記第２の撮影手段の位置を基準位置から前記Ｘ線管の照射領域内に移動する工程と、
前記第２の撮影手段が移動後の位置で撮影処理を行う工程と
を有することを特徴とする請求項１２乃至１７のいずれか１項に記載の撮影表示方法。
【請求項１９】  
前記第１の撮影手段及び前記第２の撮影手段は同一のセンサーにより構成され、前記第１の撮影工程と、前記第２の撮影工程では、前記センサーの読み出し領域が異なるように制御することを特徴とする請求項１２乃至１７のいずれか１項に記載の撮影表示方法。
【請求項２０】  
前記相対位置決定工程では、前記Ｘ線管と、前記第２の撮影手段と、前記第１の撮影手段との相対位置に基づいて、前記透視画像と前記Ｘ線画像の相対位置を決定することを特徴とする請求項１２乃至１９のいずれか１項に記載の撮影表示方法。
【請求項２１】  
前記第１の撮影工程は、
第２の移動手段が前記Ｘ線管を移動する工程と、
第３の移動手段が前記第１の撮影手段を移動する工程と、
前記第１の撮影手段が移動後の位置で撮影を行う工程と
を有することを特徴とする請求項１２乃至２０のいずれか１項に記載の撮影表示方法。
【請求項２２】  
前記Ｘ線管及び前記第１の撮影手段は機械的に一体化されており、前記第１の撮影工程は、
第４の移動手段が前記Ｘ線管及び前記第１の撮影手段を移動する工程と、
前記第１の撮影手段が移動後の位置で撮影を行う工程と
を有することを特徴とする請求項１２乃至２０のいずれか１項に記載の撮影表示方法。
【請求項２３】  
前記撮影システムは、被写体を支持する支持手段を更に有し、
前記第１の撮影工程及び前記第２の撮影工程に先立って、前記支持手段を移動させる工程を更に有することを特徴とする請求項１２乃至２０のいずれか１項に記載の撮影表示方法。
【請求項２４】  
前記表示工程では、前記透視画像の下に前記Ｘ線画像が見えるように表示することを特徴とする請求項１２乃至２３のいずれか１項に記載の撮影表示方法。
【請求項２５】  
Ｘ線画像は、透視画像よりも撮像範囲が広いことを特徴とする請求項１２乃至２４のいずれか１項に記載の撮影表示方法。
【請求項２６】  
コンピュータに、請求項１２乃至２５のいずれか１項に記載の撮影表示方法の各工程を実行させるためのプログラム。
【請求項２７】  
請求項２６に記載のプログラムを格納したコンピュータが読み取り可能な記憶媒体。
【手続補正２】
【補正対象書類名】明細書
【補正対象項目名】００１２
【補正方法】変更
【補正の内容】
【００１２】
【課題を解決するための手段】
上記目的を達成するために、本発明の撮影システムは、Ｘ線管から放射されたＸ線を検出して透視画像を撮影する第１の撮影手段と、前記Ｘ線管から放射されたＸ線を検出してＸ線画像を撮影する第２の撮影手段と、前記第１の撮影手段と前記第２の撮影手段を切り換える切り換え手段と、前記透視画像と前記Ｘ線画像の相対位置を決定する相対位置決定手段と、前記透視画像と前記Ｘ線画像を、前記相対位置決定手段により決定された相対位置となるように重ねて表示する表示手段とを有する。
【手続補正３】
【補正対象書類名】明細書
【補正対象項目名】００１４
【補正方法】変更
【補正の内容】
【００１４】
また、本発明の好適な一様態によれば、前記第２の撮影手段の位置を移動する駆動手段を更に有し、前記第２の撮影手段は前記Ｘ線管の照射領域外の所定位置を基準位置とし、前記切り換え手段により前記第２の撮影手段が選択された場合に、前記駆動手段は、前記Ｘ線管の照射領域内に前記第２の撮影手段を移動する。
【手続補正４】
【補正対象書類名】明細書
【補正対象項目名】００１５
【補正方法】変更
【補正の内容】
【００１５】
また、本発明の好適な別の一様態によれば、前記第１の撮影手段及び前記第２の撮影手段は同一のセンサーにより構成され、Ｘ線画像を撮影する場合と、透視画像を撮影する場合とで、前記センサーの読み出し領域が異なるように制御する。
【手続補正５】
【補正対象書類名】明細書
【補正対象項目名】００２３
【補正方法】変更
【補正の内容】
【００２３】
また、上記目的を達成するために、Ｘ線管から放射されたＸ線を検出して透視画像を撮影する第１の撮影手段と、前記Ｘ線管から放射されたＸ線を検出してＸ線画像を撮影する第２の撮影手段とを有する撮影システムにおける本発明の撮影表示方法は、前記第１の撮影手段が透視画像を撮影する第１の撮影工程と、前記第２の撮影手段がＸ線画像を撮影する第２の撮影工程と、相対位置決定手段が前記透視画像と前記Ｘ線画像の相対位置を決定する相対位置決定工程と、表示手段が前記透視画像と前記Ｘ線画像を、前記相対位置決定手段により決定された相対位置となるように重ねて表示する表示工程とを有する。
【手続補正６】
【補正対象書類名】明細書
【補正対象項目名】００２４
【補正方法】変更
【補正の内容】
【００２４】
本発明の好適な一様態によれば、前記第１の撮影工程と、前記第２の撮影工程と、前記相対位置決定工程と、前記表示工程とを繰り返す反復工程を更に有する。
【手続補正７】
【補正対象書類名】明細書
【補正対象項目名】００２５
【補正方法】変更
【補正の内容】
【００２５】
また、本発明の好適な一様態によれば、前記第１の撮影手段と前記第２の撮影手段を切り換える切り換え工程を更に有し、前記反復工程では、前記切り換え工程により選択されていない前記第１の撮影手段又は前記第２の撮影手段による前記第１の撮影工程又は前記第２の撮影工程をスキップする。
【手続補正８】
【補正対象書類名】明細書
【補正対象項目名】００２８
【補正方法】変更
【補正の内容】
【００２８】
また、本発明の好適な一様態によれば、調整手段が前記透視画像と前記Ｘ線画像の少なくともいずれか一方の画像のサイズ及び画素値を、当該透視画像及びＸ線画像の対応画像領域のサイズ、画素値のレベル、コントラストの内の少なくともいずれかが略一致するように調整する調整工程を更に有し、前記表示工程では、前記調整工程で調整された透視画像及びＸ線画像を表示する。
【手続補正９】
【補正対象書類名】明細書
【補正対象項目名】００２９
【補正方法】変更
【補正の内容】
【００２９】
また、本発明の好適な一様態によれば、前記第２の撮影手段は前記Ｘ線管の照射領域外の所定位置を基準位置とし、前記第２の撮影工程は、第１の移動手段が前記第２の撮影手段の位置を基準位置から前記Ｘ線管の照射領域内に移動する工程と、前記第２の撮影手段が移動後の位置で撮影処理を行う工程とを有する。
【手続補正１０】
【補正対象書類名】明細書
【補正対象項目名】００３０
【補正方法】変更
【補正の内容】
【００３０】
また、本発明の好適な別の一様態によれば、前記第１の撮影手段及び前記第２の撮影手段は同一のセンサーにより構成され、前記第１の撮影工程と、前記第２の撮影工程では、前記センサーの読み出し領域が異なるように制御する。
【手続補正１１】
【補正対象書類名】明細書
【補正対象項目名】００３２
【補正方法】変更
【補正の内容】
【００３２】
また、本発明の好適な一様態によれば、前記第１の撮影工程は、第２の移動手段が前記Ｘ線管を移動する工程と、第３の移動手段が前記第１の撮影手段を移動する工程と、前記第１の撮影手段が移動後の位置で撮影を行う工程とを有する。
【手続補正１２】
【補正対象書類名】明細書
【補正対象項目名】００３３
【補正方法】変更
【補正の内容】
【００３３】
また、本発明の好適な別の一様態によれば、前記Ｘ線管及び前記第１の撮影手段は機械的に一体化されており、前記第１の撮影工程は、第４の移動手段が前記Ｘ線管及び前記第１の撮影手段を移動する工程と、前記第１の撮影手段が移動後の位置で撮影を行う工程とを有する。
【手続補正１３】
【補正対象書類名】明細書
【補正対象項目名】００３４
【補正方法】変更
【補正の内容】
【００３４】
また、本発明の好適な一様態によれば、前記撮影システムは、被写体を支持する支持手段を更に有し、前記第１の撮影工程及び前記第２の撮影工程に先立って、前記支持手段を移動させる工程を更に有する。